(57)【要約】  アクセス端末は、黙示的なユーザキューに基づいて、自動ワイヤレス通信対話を促進するように適合されている。１つの例にしたがうと、アクセス端末は、少なくとも２つの１次センサ入力からのユーザキューを含む複数のユーザキューとともに、オプションの他のユーザキューを取得することができる。アクセス端末は、複数のユーザキューの中から、予め規定されたユーザキューの組み合わせの出現を識別するかもしれない。予め規定されたユーザキューの組み合わせの識別に応答して、アクセス端末は、他のユーザに関係付けられているアクセス端末とのワイヤレス通信リンクに影響を及ぼすかもしれない。他の態様、実施形態、および特徴も含んでいる。【選択図】図４
2017511636.tif 000002
【特許請求の範囲】
【請求項１】
アクセス端末において、
ワイヤレス通信インターフェースと、
複数のセンサと、
前記通信インターフェースと前記複数のセンサとに結合されている処理回路とを具備し、
前記処理回路は、
前記複数のセンサを介してユーザキューを検出し、
他のユーザと通信する要望を前記ユーザキューが示すことを決定し、
前記検出したユーザキューに応答して、前記ワイヤレス通信インターフェースを介して、前記他のユーザに関係付けられているアクセス端末とのワイヤレス通信リンクに影響を及ぼすように適合されており、
前記ユーザキューは、視線とオーディオキューとジェスチャとのうちの少なくとも２つに対応するアクセス端末。
【請求項２】
前記処理回路が、前記検出したユーザキューに応答して、前記他のユーザとの前記ワイヤレス通信リンクに影響を及ぼすように適合されていることは、
前記処理回路が、前記他のユーザに関係付けられているアクセス端末とのワイヤレス通信リンクを確立するように適合されていることを含む請求項１記載のアクセス端末。
【請求項３】
前記処理回路が、前記検出したユーザキューに応答して、前記他のユーザとの前記ワイヤレス通信リンクに影響を及ぼすように適合されていることは、
前記処理回路が、ワイヤレス通信リンクを通して、前記他のユーザに関係付けられているアクセス端末に対して、１つ以上の送信を送るように適合されていることを含む請求項１記載のアクセス端末。
【請求項４】
前記処理回路が、ワイヤレス通信リンクを通して、前記他のユーザに関係付けられているアクセス端末に対して、１つ以上の送信を送るように適合されていることは、
前記処理回路が、前記他のユーザに関係付けられているアクセス端末に対して、前記ユーザキューから取得される情報を送信するように適合されていることを含む請求項３記載のアクセス端末。
【請求項５】
前記処理回路が、前記検出したユーザキューに応答して、前記他のユーザとの前記ワイヤレス通信リンクに影響を及ぼすように適合されていることは、
前記処理回路が、前記他のユーザに関係付けられているアクセス端末とのワイヤレス通信リンクを終了するように適合されていることを含む請求項１記載のアクセス端末。
【請求項６】
前記複数のセンサは、マイクロフォンと視線追跡器とジェスチャ検出器とを含むセンサのグループから選択される２つ以上のセンサを含む請求項１記載のアクセス端末。
【請求項７】
前記複数のセンサは、位置検出器と動き検出器と生体センサとを含むセンサのグループから選択される少なくとも１つのセンサをさらに含む請求項６記載のアクセス端末。
【請求項８】
前記処理回路は、地理的位置と動きと生体測定キューとのうちの少なくとも１つに対応するユーザキューを検出するようにさらに適合されている請求項１記載のアクセス端末。
【請求項９】
第１のユーザと第２のユーザとの間のワイヤレス通信の方法において、
少なくとも２つの１次センサ入力からのユーザキューを含む複数のユーザキューを取得することと、
前記取得した複数のユーザキューの中から、予め規定されたユーザキューの組み合わせの出現を決定することと、
前記予め規定されたユーザキューの組み合わせの出現の前記決定に応答して、他のユーザに関係付けられているアクセス端末とのワイヤレス通信リンクに影響を及ぼすこととを含む方法。
【請求項１０】
前記他のユーザに関係付けられているアクセス端末とのワイヤレス通信リンクに影響を及ぼすことは、
前記他のユーザに関係付けられているアクセス端末とのワイヤレス通信リンクを確立することと、
ワイヤレス通信リンクを通して、前記他のユーザに関係付けられているアクセス端末に対して送信を送ることと、
前記他のユーザに関係付けられているアクセス端末とのワイヤレス通信リンクを終了することとのうちの少なくとも１つを含む請求項９記載の方法。
【請求項１１】
前記ワイヤレス通信リンクを通して、前記他のユーザに関係付けられているアクセス端末に対して送信を送ることは、
前記他のユーザに関係付けられているアクセス端末に対して、前記取得したユーザキューに関係付けられている情報を送信することを含む請求項１０記載の方法。
【請求項１２】
前記少なくとも２つの１次センサ入力からのユーザキューを含む複数のユーザキューを取得することは、
視線とオーディオキューとジェスチャとを含む１次センサ入力のグループから選択される少なくとも２つの１次センサ入力から、ユーザキューを取得することを含む請求項９記載の方法。
【請求項１３】
前記複数のユーザキューを取得することは、
少なくとも１つの２次センサ入力からユーザキューを取得することをさらに含む請求項９記載の方法。
【請求項１４】
前記少なくとも１つの２次センサ入力からユーザキューを取得することは、
位置と動きと生体測定キューとを含む２次センサ入力のグループから選択される２次センサ入力のうちの少なくとも１つから、ユーザキューを取得することを含む請求項１３記載の方法。
【請求項１５】
アクセス端末において、
視線とオーディオキューとジェスチャとを含む１次センサ入力のグループから選択される少なくとも２つの１次センサ入力からのユーザキューを含む、複数のユーザキューを検出する手段と、
他のユーザと通信する要望を前記ユーザキューが示すことを決定する手段と、
前記検出したユーザキューに応答して、前記他のユーザに関係付けられているアクセス端末とのワイヤレス通信リンクに影響を及ぼす手段とを具備するアクセス端末。
【請求項１６】
前記他のユーザに関係付けられているアクセス端末とのワイヤレス通信リンクに影響を及ぼす手段は、
前記他のユーザに関係付けられているアクセス端末とのワイヤレス通信リンクを確立する手段と、
ワイヤレス通信リンクを通して、前記他のユーザに関係付けられているアクセス端末に対して送信を送る手段と、
前記他のユーザに関係付けられているアクセス端末とのワイヤレス通信リンクを終了する手段とのうちの少なくとも１つを備える請求項１５記載のアクセス端末。
【請求項１７】
前記ワイヤレス通信リンクを通して、前記他のユーザに関係付けられているアクセス端末に対して送信を送る手段は、
前記他のユーザに関係付けられているアクセス端末に対して、前記検出したユーザキューに関係付けられている情報を送信する手段を含む請求項１６記載のアクセス端末。
【請求項１８】
少なくとも１つの２次センサ入力から、少なくとも１つのユーザキューを検出する手段をさらに具備する請求項１５記載のアクセス端末。
【請求項１９】
前記少なくとも１つの２次センサ入力から、少なくとも１つのユーザキューを検出する手段は、
位置と動きと生体測定キューとを含む２次センサ入力のグループから選択される２次センサ入力のうちの少なくとも１つから、ユーザキューを検出する手段を備える請求項１８記載のアクセス端末。
【請求項２０】
プロセッサ読取可能記憶媒体において、
処理回路に、
複数のユーザキューを取得させ、
前記取得させた複数のユーザキューの中から、予め規定されたユーザキューの組み合わせの出現を決定させ、
前記予め規定されたユーザキューの組み合わせの出現の前記決定に応答して、他のユーザのアクセス端末とのワイヤレス通信リンクに影響を及ぼさせるためのプログラミングを含み、
前記複数のユーザキューは、視線とオーディオキューとジェスチャとを含む１次センサ入力のグループから選択される少なくとも２つの１次センサ入力からのユーザキューを含むプロセッサ読取可能記憶媒体。
【請求項２１】
前記処理回路に、他のユーザに関係付けられているアクセス端末とのワイヤレス通信リンクに影響を及ぼさせるためのプログラミングは、
処理回路に、前記他のユーザに関係付けられているアクセス端末とのワイヤレス通信リンクを確立させるためのプログラミングを含む請求項２０記載のプロセッサ読取可能記憶媒体。
【請求項２２】
前記処理回路に、他のユーザに関係付けられているアクセス端末とのワイヤレス通信リンクに影響を及ぼさせるためのプログラミングは、
処理回路に、ワイヤレス通信リンクを通して、前記他のユーザに関係付けられているアクセス端末に対して送信を送らせるためのプログラミングを含む請求項２０記載のプロセッサ読取可能記憶媒体。
【請求項２３】
前記処理回路に、ワイヤレス通信リンクを通して、前記他のユーザに関係付けられているアクセス端末に対して送信を送らせるためのプログラミングは、
処理回路に、前記他のユーザに関係付けられているアクセス端末に対して、前記取得させたユーザキューに関係付けられている情報を送信させるためのプログラミングを含む請求項２２記載のプロセッサ読取可能記憶媒体。
【請求項２４】
前記処理回路に、他のユーザに関係付けられているアクセス端末とのワイヤレス通信リンクに影響を及ぼさせるためのプログラミングは、
処理回路に、前記他のユーザに関係付けられているアクセス端末とのワイヤレス通信リンクを終了させるためのプログラミングを含む請求項２０記載のプロセッサ読取可能記憶媒体。
【請求項２５】
前記処理回路に、複数のユーザキューを取得させるためのプログラミングは、
処理回路に、少なくとも１つの２次センサ入力からユーザキューを取得させるためのプログラミングを含む請求項２０記載のプロセッサ読取可能記憶媒体。
【請求項２６】
前記処理回路に、少なくとも１つの２次センサ入力からユーザキューを取得させるためのプログラミングは、
処理回路に、位置と動きと生体測定キューとを含む２次センサ入力のグループから選択される２次センサ入力のうちの少なくとも１つから、ユーザキューを取得させるためのプログラミングを含む請求項２５記載のプロセッサ読取可能記憶媒体。
【発明の詳細な説明】
【関連出願に対する相互参照】
【０００１】
［０００１］
本出願は、２０１４年３月１０日に米国特許商標庁に出願された米国非仮特許出願番号第１４／２０３，０６３号に対して優先権および利益を主張し、その全体の内容は、参照によってここに組み込まれている。
【技術分野】
【０００２】
［０００２］
以下で説明する技術は、概してワイヤレス通信に関連しており、より詳細には、黙示的なユーザキューに基づいて自動ワイヤレス通信対話を促進するための方法およびデバイスに関連している。
【背景】
【０００３】
［０００３］
ワイヤレス通信システムは、音声、ビデオ、パケットデータ、メッセージング、ブロードキャスト等のような、さまざまなタイプの通信コンテンツを提供するように、幅広く配備されている。これらのシステムは、ワイヤレス通信を促進するように適合されているさまざまなタイプのデバイスによってアクセスされ、利用可能なシステムリソース（例えば、時間、周波数、および電力）を複数のデバイスが共有する。このようなワイヤレス通信システムの例には、コード分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムが含まれる。
【０００４】
［０００４］
複数のタイプのワイヤレス通信デバイスが、このようなワイヤレス通信システムを利用するように適合されている。これらのワイヤレス通信デバイスは一般的に、アクセス端末と呼ばれる。典型的に、アクセス端末のユーザは、明示的な音声コマンドまたは物理的なタッチコマンド等によって、特定のワイヤレス通信動作を実行するようにアクセス端末に明示的に命令する。アクセス端末がユーザの毎日の生活により関係するようになるにつれて、このようなアクセス端末の、１つ以上のワイヤレス通信動作を自動的に実行する能力は、望ましいものとなるかもしれない。
【いくつかの例の簡単な概要】
【０００５】
［０００５］
以下は、説明する技術の基本的な理解を提供するように、本開示のいくつかの態様を要約している。この概要は、開示の企図されるすべての特徴の広範囲の全体像ではなく、開示のすべての態様のうちのキーまたは重要なエレメントを識別することも、開示のいくつかまたはすべての態様の範囲を線引きすることも意図していない。その唯一の目的は、後に提示するより詳細な説明への前置きとして、開示の１つ以上の態様のいくつかの概念を概略の形態で提示することである。
【０００６】
［０００６］
本開示のさまざまな例およびインプリメンテーションは、黙示的なユーザキューに基づいて、他のユーザとのワイヤレス通信の確立、使用、および終了を促進する。開示の少なくとも１つの態様にしたがうと、アクセス端末は、すべてが処理回路に結合されている、ワイヤレス通信インターフェースと複数のセンサとを備えている。処理回路は、複数のセンサを介してユーザキューを検出するように適合されているかもしれず、ユーザキューは、視線とオーディオキューとジェスチャとのうちの少なくとも２つを含むユーザキューの組み合わせに対応する。処理回路は、他のユーザと通信する要望をユーザキューが示すことを決定するようにさらに適合されているかもしれない。処理回路は、検出したユーザキューに応答して、ワイヤレス通信インターフェースを介して、他のユーザに関係付けられているアクセス端末とのワイヤレス通信リンクに影響を及ぼすように適合されていることがある。
【０００７】
［０００７］
さらなる態様は、アクセス端末上で動作可能な方法、および／または、このような方法を実行する手段を備えるアクセス端末を提供する。このような方法の１つ以上の例は、少なくとも２つの１次センサ入力からのユーザキューのような、複数のユーザキューを取得することを含んでいる。取得した複数のユーザキューの中から、予め規定されたユーザキューの組み合わせが出現したことの決定を行うかもしれない。さらに、予め規定されたユーザキューの組み合わせの出現の決定に応答して、他のユーザに関係付けられているアクセス端末とのワイヤレス通信リンクに影響を及ぼすかもしれない。
【０００８】
［０００８］
さらなる態様は、処理回路によって実行可能なプログラミングを含むプロセッサ読取可能記憶媒体を含んでいる。１つ以上の例にしたがうと、このようなプログラミングは、処理回路に、複数のユーザキューを取得させるように適合されている。複数のユーザキューは、視線とオーディオキューとジェスチャとを含む１次センサ入力のグループから選択される少なくとも２つの１次センサ入力からのユーザキューを含んでいるかもしれない。プログラミングは、処理回路に、取得させた複数のユーザキューの中から、予め規定されたユーザキューの組み合わせの出現を決定させるためにさらに適合されているかもしれない。さらに、プログラミングは、処理回路に、予め規定されたユーザキューの組み合わせの出現の決定に応答して、他のユーザのアクセス端末とのワイヤレス通信リンクに影響を及ぼさせるためにさらに適合されているかもしれない。
【０００９】
［０００９］
本開示に関係付けられている他の態様、特徴、および実施形態が、付随する図面とともに以下の説明をレビューした際に、当業者に明白となるだろう。
【図面の簡単な説明】
【００１０】
【図１】［００１０］  図１は、１つ以上のユーザキューを取得するようにユーザに関係付けられているアクセス端末を示す、概念的なブロックダイヤグラムである。
【図２】［００１１］  図２は、少なくとも１つの例にしたがった、アクセス端末の選択コンポーネントを図示しているブロックダイヤグラムである。
【図３】［００１２］  図３は、アクセス端末を接続することができるワイヤレスネットワーク環境の例を描いているブロックダイヤグラムである。
【図４】［００１３］  図４は、第１のユーザと第２のユーザとの間のワイヤレス通信リンクに影響を及ぼす例を図示しているフローダイヤグラムである。
【図５】［００１４］  図５は、少なくとも１つの例にしたがった、アクセス端末上で動作可能な方法を図示しているフローダイヤグラムである。
【詳細な説明】
【００１１】
［００１５］
添付した図面に関連して以下で述べる説明は、さまざまなコンフィギュレーションの説明として意図したものであり、ここで記述する概念および特徴を実施できる唯一のコンフィギュレーションを表すことを意図したものではない。以下の説明は、さまざまな概念の完全な理解を提供する目的のために、特有な詳細を含んでいる。しかしながら、これらの概念をこれらの特有な詳細なしで実施してもよいことが当業者に明白となるだろう。いくつかのインスタンスでは、記述する概念および特徴を曖昧にすることを避けるために、よく知られている回路、構造、技術、およびコンポーネントを、ブロックダイヤグラムの形態で示している。
【００１２】
［００１６］
従来のアクセス端末は典型的に、特定のワイヤレス通信動作を実行するようにユーザがアクセス端末に明示的に命令するときに、ワイヤレスネットワークを介したワイヤレス通信リンクに影響を及ぼす。例えば、特定の番号またはコンタクトに通話するようにアクセス端末に命令する音声コマンドや、あるいは、コンタクトを選択し、選択したコンタクトに通話するようにアクセス端末に命令する物理的なタッチコマンド等によって、通信リンクを確立するようにユーザがアクセス端末に明示的に命令するときに、通信リンクが典型的に確立される。同様に、通話を終わらせるための、ボタンまたはタッチスクリーンの物理的なタッチ等によって、通信リンクを終わらせるようにユーザがアクセス端末に明示的に命令するときに、通信リンクは典型的に終わる。別の例では、データを選択し、意図する受信者を選択し、アクセス端末上の送信ボタンを選択すること等によって、データまたは情報を送信するようにユーザがアクセス端末に明示的に命令するときに、ワイヤレス通信リンクを通した、データまたは情報の送信が典型的に生じる。
【００１３】
［００１７］
本開示のさまざまな態様は、検出したユーザキューを用いてワイヤレス通信システム内のワイヤレス通信リンクに影響を及ぼすように適合されているアクセス端末に向けられている。図１を参照すると、ユーザ１０４に関係付けられているアクセス端末１０２を示す、概念的なブロックダイヤグラムが図示されている。多くのアクセス端末１０２は、ユーザの衣服中で運ばれることによって、ユーザにまたはユーザによって使用されている物体に結合されているキャリア中に据え付けられている（例えば、ユーザによって使用されているバイクに結合されているキャリアに据え付けられている）ことによって、ユーザによって着用されること（例えば、時計、メガネ）等によって、ユーザとともに移動するように適合されている。アクセス端末１０２は、さまざまな入力デバイスに関係付けられていてもよい。入力デバイスは、アクセス端末１０２と一体型であってもよく、および／または、アクセス端末１０２に通信可能に結合されながらアクセス端末１０２の外部にあってもよい。限定ではなく例として、このような入力デバイスは、マイクロフォン１０６、視線追跡器１０８、ジェスチャ検出器１１０、ならびに／あるいは他のさまざまなユーザ入力デバイスおよびセンサ入力デバイスを含んでいる。アクセス端末１０２は、さまざまな入力デバイスによって受信されるさまざまな入力情報を受け取り処理することができ、入力デバイスからの予め規定された状況に応答して、ワイヤレス通信リンクに影響を及ぼすことができる。アクセス端末１０２は、ディスプレイ（例えば、タッチスクリーンディスプレイ、頭部装着ディスプレイ、ウォッチディスプレイ）、スピーカ、触覚出力デバイス、および／または他のさまざまな出力デバイスを含む、（示していない）さまざまな出力デバイスも含んでいてもよい。
【００１４】
［００１８］
図２に移ると、本開示の少なくとも１つの例にしたがった、アクセス端末２００のブロックダイヤグラムが示されている。Ｉ／Ｏインターフェース２０４と、通信インターフェース２０６と、記憶媒体２０８とに結合されている、あるいは、Ｉ／Ｏインターフェース２０４と、通信インターフェース２０６と、記憶媒体２０８と電気通信するように配置されている処理回路２０２を、アクセス端末２００は備えている。
【００１５】
［００１９］
処理回路２０２は、データを取得し、処理し、および／または送るように、データのアクセスおよび記憶を制御するように、コマンドを発行するように、ならびに他の所望の動作を制御するように構成されている。処理回路２０２は、適切な媒体によって提供される所望のプログラミングを実現するように適合されている回路、および／または、本開示中で記述する１つ以上の機能を実行するように適合されている回路を備えているかもしれない。例えば、処理回路２０２は、１つ以上のプロセッサ、１つ以上の制御装置、および／または、実行可能プログラミングを実行するように構成されている他の構造として実現してもよい。処理回路２０２の例には、ここで記述する機能を実行するように設計されている汎用プロセッサ、デジタル信号プロセッサ（ＤＳＰ）、特定用途向け集積回路（ＡＳＩＣ）、フィールドプログラム可能ゲートアレイ（ＦＰＧＡ）または他のプログラム可能論理コンポーネント、ディスクリートゲートまたはトランジスタ論理、ディスクリートハードウェアコンポーネント、あるいはこれらを任意に組み合わせたものが含まれる。汎用プロセッサには、任意の従来のプロセッサ、制御装置、マイクロ制御装置、または状態機械とともに、マイクロプロセッサが含まれていてもよい。処理回路２０２はまた、ＤＳＰとマイクロプロセッサ、多数のマイクロプロセッサ、ＤＳＰコアを伴う１つ以上のマイクロプロセッサ、ＡＳＩＣとマイクロプロセッサ、または他の任意の数の変化するコンフィギュレーション、を組み合わせたもののような、コンピューティングコンポーネントを組み合わせたものとして実現してもよい。処理回路２０２のこれらの例は実例のためのものであり、本開示の範囲内の他の適切なコンフィギュレーションも企図している。
【００１６】
［００２０］
処理回路２０２は、プログラミングの実行を含む処理用に適合されており、プログラミングは、記憶媒体２０６上に記憶されているかもしれない。ここで使用する用語“プログラミング”は、ソフトウェア、ファームウェア、ミドルウェア、マイクロコード、ハードウェア記述言語、またはその他のものとして呼ばれるかに関わらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行のスレッド、手順、関数等を含めるように、限定ではなく広く解釈されることになる。
【００１７】
［００２１］
いくつかのインスタンスにおいて、処理回路２０２は、ユーザキュー回路および／またはモジュール２１０を備えている。ユーザキュー回路／モジュール２１０は、ユーザキューを取得し、取得したユーザキューの組み合わせに応答して、他のユーザのアクセス端末とのワイヤレス通信リンクに影響を及ぼすように適合されている回路および／またはプログラミング（例えば、記憶媒体２０８上に記憶されているプログラミング）を含んでいるかもしれない。
【００１８】
［００２２］
Ｉ／Ｏインターフェース２０４は、アクセス端末２００が、さまざまな入力デバイスからの入力を取得し、さまざまな出力デバイスに出力を提供することを可能にするように適合されている。いくつかの例において、Ｉ／Ｏインターフェース２０４は、マイクロフォン２１２、視線追跡器２１４、および／またはジェスチャ検出器２１６を含む複数の１次センサから入力情報を取得するように適合されている。マイクロフォン２１２は、アクセス端末２００のユーザから、ユーザのワード、ユーザのスピーチボリューム、および／またはユーザからの他のサウンドのような、オーディオキューを取得するように適合されているかもしれない。マイクロフォン２１２はまた、ユーザの環境に関係付けられているオーディオキューを取得するように適合されていてもよい。参照は、１つのマイクロフォン２１２に対してのみされているが、異なるキューを監視するためにまた用いられるかもしれない複数のマイクロフォンを、いくつかの実施形態が用いることは明白となるはずである。
【００１９】
［００２３］
視線追跡器２１４は、ユーザがどこを見ているかを検出するために、ユーザの目のポジションおよび／または目の移動を決定することによって、ユーザがどこおよび何を見ているかに関係付けられているユーザキューを取得するように適合されているかもしれない。いくつかのインスタンスにおいて、視線追跡器２１４は、ユーザの視線を追跡するためのプログラミングと組み合わせた１つ以上のカメラまたは他の光学センサによって実現される。例えば、ユーザに向けられている少なくとも１つのカメラが、ユーザの視線の方向を決定するように適合されている一方で、反対に向けられている少なくとも１つのシーンカメラが、ユーザの視線が向けられている物体を検出する。注視の方向を決定するために、ユーザの頭部のポジションを追跡するセンサも含まれているかもしれない。
【００２０】
［００２４］
ジェスチャ検出器２１６は、ユーザのジェスチャに関係付けられているユーザキューを取得して認識するように適合されているかもしれない。ジェスチャ検出器２１６は、１つ以上の深度感知カメラ、標準２次元カメラ、および／または装着型センサを、他の何らかの既知のジェスチャ検出コンポーネントとともに含んでいてもよい。
【００２１】
［００２５］
このような１次入力センサデバイスに加えて、Ｉ／Ｏインターフェースは、位置検出デバイス（例えば、ＧＰＳ）、動き検出デバイス（例えば、加速度計、ＧＰＳ）、生体センサデバイス（心拍数センサ、筋肉センサ）等のような１つ以上の他のデバイス（例えば、２次入力センサデバイス）からの入力を取得するようにさらに適合されていてもよい。Ｉ／Ｏインターフェースはまた、ディスプレイ（例えば、タッチスクリーンディスプレイ、頭部装着ディスプレイ、ウォッチディスプレイ）、スピーカ、触覚出力デバイス、および／または他のさまざまな出力デバイスのような１つ以上の出力デバイスに対して、情報を提供するように適合されていてもよい。
【００２２】
［００２６］
通信インターフェース２０６は、アクセス端末２００のワイヤレス通信を促進するように構成されている。例えば、通信インターフェース２０６は、１つ以上のワイヤレスネットワークデバイス（例えば、ネットワークノード）および／または１つ以上の他のアクセス端末に関して、情報の通信を双方向で促進するように適合されている回路および／またはプログラミングを含んでいる。通信インターフェース２０６は、１つ以上のアンテナ２１８に結合されており、少なくとも１つの受信機回路２２０（例えば、１つ以上の受信機チェーン）および／または少なくとも１つの送信機回路２２２（例えば、１つ以上の送信機チェーン）を含む、ワイヤレストランシーバ回路を備えている。
【００２３】
［００２７］
通信インターフェース２０６は、例えば、ワイヤレスワイドエリアネットワーク（ＷＷＡＮ）、ワイヤレスローカルエリアネットワーク（ＷＬＡＮ）、ワイヤレスパーソナルエリアネットワーク（ＰＡＮ）、および／または他の適切なワイヤレス通信ネットワークのような、１つ以上のワイヤレス通信ネットワークに対する接続を促進するように適合されている。
【００２４】
［００２８］
図３は、通信インターフェース２０６を接続することができるワイヤレスネットワーク環境の例を描いているブロックダイヤグラムである。ワイヤレス通信ネットワーク３００は一般的に、１つ以上の基地局３０２と、１つ以上のアクセス端末３０４と、１つ以上の基地局制御装置（ＢＳＣ）３０６と、コアネットワーク３０８とを備えており、コアネットワーク３０８は、（例えば、移動体スイッチングセンター／ビジタロケーションレジスタ（ＭＳＣ／ＶＬＲ）を介して）公衆電話交換ネットワーク（ＰＳＴＮ）に対するアクセスを、および／または、（例えば、パケットデータ交換ノード（ＰＤＳＮ）を介して）ＩＰネットワークに対するアクセスを提供する。ワイヤレス通信ネットワーク３００は、複数の搬送波（異なる周波数の波形信号）上での動作をサポートすることができる。マルチ搬送波送信機は、複数の搬送波上で同時に変調信号を送信することができる。各変調信号は、ＣＤＭＡ信号、ＴＤＭＡ信号、ＯＦＤＭＡ信号、単一搬送波周波数分割多元接続（ＳＣ−ＦＤＭＡ）信号等である。各変調信号は、異なる搬送波上で送られるかもしれず、制御情報（例えば、パイロット信号）、オーバーヘッド情報、データ等を運ぶ。
【００２５】
［００２９］
基地局３０２は、基地局アンテナを介して、アクセス端末３０４とワイヤレスに通信することができる。基地局３０２は各々、一般的に、ワイヤレス通信ネットワーク３００に対する（１つ以上のアクセス端末３０４のための）ワイヤレス接続性を促進するように適合されているデバイスとして実現される。このような基地局３０２は、当業者によって、基地トランシーバ局（ＢＴＳ）、無線基地局、無線トランシーバ、トランシーバ機能、ベーシックサービスセット（ＢＳＳ）、拡張サービスセット（ＥＳＳ）、ノードＢ、フェムトセル、ピコセル、アクセスポイント、または他の何らかの適切な専門用語で呼ばれることもある。
【００２６】
［００３０］
基地局３０２は、基地局制御装置３０６の制御の下でアクセス端末３０４と通信するように構成されている。基地局３０２の各々は、それぞれの地理的エリアに対して通信カバレッジを提供することができる。ここでの各基地局３０２に対するカバレッジエリア３１０は、セル３１０−ａ、３１０−ｂ、または３１０−ｃとして識別される。基地局３０２に対するカバレッジエリア３１０は、（示していないが、カバレッジエリアの一部分のみを構成する）セクタに分割されるかもしれない。さまざまな例において、ネットワーク３００は異なるタイプの基地局３０２を備えている。
【００２７】
［００３１］
１つ以上のアクセス端末３０４は、カバレッジエリア３１０全体を通して分散していてもよい。各アクセス端末３０４は、１つ以上の基地局３０２と通信することができる。アクセス端末３０４は一般的に、ワイヤレス信号を通して１つ以上の他のデバイスと通信する１つ以上のデバイスを備えている。このようなアクセス端末３０４は、当業者によって、ユーザ機器（ＵＥ）、移動局（ＭＳ）、加入者局、移動体ユニット、加入者ユニット、ワイヤレスユニット、遠隔ユニット、移動体デバイス、ワイヤレスデバイス、ワイヤレス通信デバイス、遠隔デバイス、移動体加入者局、移動体端末、ワイヤレス端末、遠隔端末、ハンドセット、端末、ユーザエージェント、移動体クライアント、クライアント、または他の何らかの適切な専門用語でよばれることもある。
【００２８】
［００３２］
図２を再度参照すると、記憶媒体２０８は、プロセッサ実行可能なコードまたは命令（例えば、ソフトウェア、ファームウェア）、電子データ、データベース、または他のデジタル情報のような、プログラミングを記憶する、１つ以上のプロセッサ読取可能デバイスを表しているかもしれない。記憶媒体２０８は、プログラミングを実行するときに処理回路２０２によって操作されるデータを記憶するために使用されることもある。記憶媒体２０８は、プログラミングを記憶、収容、および／または運ぶことができる、ポータブルのまたは固定の記憶デバイス、光学記憶デバイス、および他のさまざまな媒体を含む、汎用プロセッサまたは特殊目的プロセッサによってアクセスできる何らかの利用可能な媒体であってもよい。限定ではなく例として、記憶媒体２０８には、磁気記憶デバイス（例えば、ハードディスク、フロッピー（登録商標）ディスク、磁気ストリップ）、光学記憶媒体（例えば、コンパクトディスク（ＣＤ）、デジタル多用途ディスク（ＤＶＤ））、スマートカード、フラッシュメモリデバイス（例えば、カード、スティック、キードライブ）、ランダムアクセスメモリ（ＲＡＭ）、リードオンリーメモリ（ＲＯＭ）、プログラム可能ＲＯＭ（ＰＲＯＭ）、消去可能なＰＲＯＭ（ＥＰＲＯＭ）、電気的に消去可能なＰＲＯＭ（ＥＥＰＲＯＭ（登録商標））、レジスタ、リムーバブルディスク、および／または、プログラミングを記憶する他の媒体とともに、これらの任意の組み合わせのような、プロセッサ読取可能記憶媒体が含まれる。
【００２９】
［００３３］
記憶媒体２０８は、処理回路２０２に結合されており、処理回路２０２は、記憶媒体２０８から情報を読み取ることができ、記憶媒体２０８に情報を書き込むことができる。すなわち、記憶媒体２０８が処理回路２０２と一体型になっている例、および／または、記憶媒体２０８が処理回路２０２から分離している例（例えば、アクセス端末２００中に内在、アクセス端末２００の外部、複数のエンティティに渡って分散している）を含め、記憶媒体２０８が処理回路２０２によって少なくともアクセス可能であるように、記憶媒体２０８を処理回路２０２に結合することができる。
【００３０】
［００３４］
記憶媒体２０８によって記憶されているプログラミングは、処理回路２０２によって実行されるときに、処理回路２０２に、ここで記述するさまざまな機能および／またはプロセスステップのうちの１つ以上を実行させる。少なくともいくつかの例において、処理回路２０２に、Ｉ／Ｏインターフェース２０４を介して複数の入力デバイスから１つ以上のユーザキューを検出させ、検出させたユーザキューに応答して、通信インターフェース２０６を介して他のユーザとのワイヤレス通信リンクに影響を及ぼさせるように適合されているユーザキュー動作２２４を、記憶媒体２０８は含んでいる。このように、本開示の１つ以上の態様にしたがって、ここで記述するアクセス端末（例えば、アクセス端末１０４、アクセス端末２００）のうちのいくつかまたはすべてに対するプロセス、機能、ステップ、および／またはルーチンのうちのいくつかまたはすべてを（記憶媒体２０８とともに）実行するように、処理回路２０２は適合されている。処理回路２０２に関連してここで使用する用語“適合されている”は、ここで記述するさまざまな特徴にしたがって特定のプロセス、機能、ステップ、および／またはルーチンを実行するように、処理回路２０２が（例えば、記憶媒体２０８とともに）構成されている、用いられる、実現される、および／またはプログラムされている、のうちの１つ以上であることを指している。
【００３１】
［００３５］
動作において、アクセス端末２００は、視線とオーディオキューとジェスチャとから選択される少なくとも２つのユーザキューを含む、複数のユーザキューを検出することができる。アクセス端末２００はその後、他のユーザとのワイヤレス通信リンクに影響を及ぼす際に、検出したユーザキューを用いることができる。例えば、図４は、第１のユーザのアクセス端末４０２と第２のユーザのアクセス端末４０４との間の対話を図示しているフローダイヤグラムである。第１のユーザのアクセス端末４０２は最初に、第１のユーザに関係付けられている複数のユーザキューを取得する４０６。視線、オーディオキュー、および／またはジェスチャから、ユーザキューのうちの少なくとも２つが取得されるかもしれない。このようなユーザキューは、ここでは１次ユーザキューと呼ぶこともある。ユーザの位置、ユーザの動き、生体測定入力等のような、２次ユーザキューとも呼ばれる追加のユーザキューも取得されるかもしれない。
【００３２】
［００３６］
取得したさまざまなユーザキューから、第１のユーザのアクセス端末４０２は、アクセス端末４０２に第２のユーザのアクセス端末４０４とのワイヤレス通信リンクに影響を及ぼすように示すいくつかの予め規定されたユーザキューの組み合わせが存在することを決定する４０８ことができる。このような決定に応答して、第１のユーザのアクセス端末４０２は、第２のユーザのアクセス端末４０４とのワイヤレス通信リンクに影響を及ぼす４１０ことができる。例えば、第１のユーザのアクセス端末４０２は、第２のユーザのアクセス端末４０４とのワイヤレス通信リンクを開始または確立し、ワイヤレス通信リンクを通して情報またはデータを、第２のユーザのアクセス端末４０４に送信、および／または、第２のユーザのアクセス端末４０４から取得し、ならびに／あるいは、さらに、第２のユーザのアクセス端末４０４とのワイヤレス通信リンクを終了させる。
【００３３】
［００３７］
これらの特徴は、さまざまな異なるシナリオにおいて利用することができる。例えば、図２中のダイヤグラムを参照して、１つの例において、アクセス端末２００のユーザが、１人以上の友人とスキー旅行に行く。スキーの間に、ユーザは少し前でスキーをしている友人を見て、例えば、“おい、ジョン、分岐点で右側の道を取って５番のリフトに行こう”と言いながら友人に話し掛け始める。従来では、ユーザは大声で叫び、大きなジェスチャを使用しなければならなかっただろう。さもなければ、ただ十分に通信することができず、分岐点を逃す結果となる。本開示の態様にしたがうと、アクセス端末２００は、例えば、友人へのユーザの注視を検出する視線追跡器２１４、および、友人に向けたユーザのスピーチを検出するマイクロフォン２１２から取得した、キューを用いることができる。これらの検出したユーザキューに応答して、アクセス端末２００は、友人のアクセス端末への通信リンクを開くことができ、通信がより効率的に友人に届くことが可能になる。例えば、アクセス端末２００は、示した道に進むための（例えば、視覚の、オーディオの、触覚の）表示を友人に送り、停止することまたは叫ぶことなしに、５番のリフトに行く情報を友人に通信することができる。
【００３４】
［００３８］
別の例では、アクセス端末２００のユーザは、友人と、遊歩道に沿ってサイクリングに行く。サイクリングの間に、ユーザは友人を見て、“あの新しい歌聴いた？”といったようなことを言いながら友人に話し掛ける。従来では、両方が聴くことができるスピーカを使用して、ヘッドフォンを共有して、または、彼らの間で個人のメディアプレイヤデバイスを渡して交替することで、ユーザは友人と歌を共有できただろう。本開示の態様にしたがうと、例えば、友人へのユーザの注視を検出する視線追跡器２１４、および、友人に向けたユーザのスピーチを検出するマイクロフォン２１２から、ユーザキューを取得することができる。これらの検出したユーザキューに応答して、アクセス端末２００は、友人のアクセス端末への通信リンクを開くことができ、ユーザと友人が、共通の音楽プレイヤからの音楽を共有することが可能になる。さらに、音楽を共有している間にマイクロフォン２１２によってスピーチが検出される場合は、容易な通信が可能になるようにボリュームを適合させることができる。
【００３５】
［００３９］
さらに別の例では、アクセス端末２００のユーザは、アクセス端末２００を使用して他の人と話している。会話の間に、ユーザは、他の人が見ることができるのをユーザが望むイベント、アイテム、人、または他の物に気付く。ユーザは、“貴方はこれを見るべきだ”といったようなことを述べるかもしれない。従来では、ユーザは、気付いているものを説明しただろう、あるいは、他の人に送るために写真またはビデオを撮るかもしれない。本開示の態様にしたがうと、例えば、特定の物体またはイベントへのユーザの注視を検出する視線追跡器２１４、他の人に向けたユーザのスピーチを検出するマイクロフォン２１２、ならびに／あるいは、ユーザのジェスチャ（例えば、ユーザが物体またはイベントに向けて指し示していること）を検出するジェスチャ検出器２１６から、ユーザキューを取得することができる。これらの検出したユーザキューに応答して、アクセス端末２００は、他の人との通信リンクを音声のみの通信リンクからビデオと音声との通信リンクに変更して、ユーザが見ているものを他の人に示すことができる。
【００３６】
［００４０］
さらに別の例では、アクセス端末２００のユーザは、遠くにいる友人を見る。ユーザは、例えば、“おーい、ジョン”と言いながら、友人に呼び掛け、また、友人に手を振る。従来では、さらなる会話を望んでいる場合は、ユーザは友人に対して叫んだだろう。本開示の態様にしたがうと、例えば、友人へのユーザの注視を検出する視線追跡器２１４、友人へのユーザの挨拶および／または友人へのさらなるスピーチを検出するマイクロフォン２１２、ならびに／あるいは、ユーザが友人に手を振ることを検出するジェスチャ検出器２１６から、ユーザキューを取得することができる。これらの検出したユーザキューに応答して、アクセス端末２００は、友人に属しているアクセス端末との通信リンクを開始して、会話を継続することができる。
【００３７】
［００４１］
さらに別の例では、アクセス端末２００は、入力デバイスから取得される情報を、意味のある方法で別の人に共有する。例えば、アクセス端末２００のユーザが、イベントに、そのイベントのさまざまな態様に不慣れな友人とともにいる。例えば、アクセス端末２００のユーザが、スポーツイベントに、そのスポーツに不慣れな友人とともにいる。従来では、友人はただ他人からキューを得て、どこを見るべきか、および、どのように反応すべきかを知っただろう。ならびに／あるいは、ユーザが、イベントのさまざまな態様を初心者に説明しながら時間を過ごさなければならなかっただろう。本開示の態様にしたがうと、例えば、試合の間のグラウンドの異なるエリアへの（例えば、異なる選手への、コートまたはフィールドの異なるエリアへの）ユーザの注視を検出する視線追跡器２１４、ユーザの表現（例えば、声援、立腹、期待、苛立ち）を検出するマイクロフォン２１２、および／または、ユーザのジェスチャ（例えば、グラウンドのエリアを指し示すこと、声援、立腹、期待、苛立ち等を示すジェスチャ）を検出するジェスチャ検出器２１６から、ユーザキューを取得することができる。これらの検出したユーザキューに応答して、アクセス端末２００は、頭部装着ディスプレイを使用しているかもしれない友人に情報を伝えて、さまざまな情報を示すことができる。例えば、伝えられる情報は、友人のディスプレイ上にヒートマップまたはヒートトレースを表示させて、友人がどこを見ているべきかを、および／または、肯定的または否定的なことが起こっているかの表示等を示すように適合されている。
【００３８】
［００４２］
上記で言及した１次ユーザキュー（例えば、視線、オーディオキュー、およびジェスチャ）に加えて、アクセス端末２００は、１つ以上の追加または２次のユーザキューも用いて、通信リンクに特定の態様で影響を及ぼすことをユーザが望んでいることをより正確に決定してもよい。例えば、上述したスキーの例では、アクセス端末２００は、位置追跡器、動き追跡器、および／または生体測定入力デバイスのような他の入力デバイスから取得されるキューも用いて、ユーザの意向に一致するアクションを実行する際のより高い精度を可能にする。例えば、このような入力デバイスは、２人の人々がともに山に到達すること、ユーザのコンタクトのリストに友人があること、類似する動きおよびアクティビティ（例えば、車に乗り込むこと、歩くこと、チェアリフトに乗ること、スキーをすること等）、のようなキューに基づいて、ユーザが友人とスキー経験を共有していることを示すかもしれない。上述したバイクに乗る例では、アクセス端末２００は、他の入力デバイスから取得されるキューも用いてもよい。他の入力デバイスから取得されるキューは、２人が同一の時間に到着すること、類似する生理学的な活動をすること、および、だいたい同一のペースで移動すること、のような情報に基づいて、ユーザが友人とバイクに乗る経験をしていることを示すかもしれない。
【００３９】
［００４３］
先述の例は、実例の目的のためのものに過ぎず、本開示の範囲を限定するものではない。本開示の特徴をさまざまな他のシナリオが用いてもよいこと、および／または、任意の特定のシナリオの詳細が多くの異なる方法で変化してもよいことを、当業者は認識するだろう。
【００４０】
［００４４］
図５は、アクセス端末２００のようなアクセス端末上で動作可能な方法の、少なくとも１つの例を図示しているフローダイヤグラムである。図２および図５を参照すると、５０２において、アクセス端末２００は複数のユーザキューを取得することができる。例えば、ユーザキュー動作２２４を実行する処理回路２０２（例えば、ユーザキュー回路／モジュール２１０）は、複数のセンサ（例えば、Ｉ／Ｏインターフェース２０４に結合されている入力デバイス）を介してユーザキューを検出することができる。以前に着目したように、入力デバイスは、１次センサ入力（例えば、マイクロフォン２１２、視線追跡器２１４、ジェスチャ検出器２１６）とともに２次センサ入力（例えば、位置検出器、動き検出器、生体センサ）を含んでいてもよい。
【００４１】
［００４５］
いくつかのインプリメンテーションにおいて、複数のユーザキューは、視線、オーディオキュー、および／またはジェスチャの中からの、少なくとも２つの１次センサ入力を含んでいることがある。ユーザキューはまた、地理的位置、動き、および／または生体測定キューとともに他の２次センサ入力のような、１つ以上の２次センサ入力から取得してもよい。
【００４２】
［００４６］
５０４において、アクセス端末２００は、取得した複数のユーザキューの中から、予め規定されたユーザキューの組み合わせの出現を決定することができる。例えば、ユーザキュー動作２２４を実行する処理回路２０２（例えば、ユーザキュー回路／モジュール２１０）が、検出したユーザキューと、ユーザによる他の人と通信する特有の要望を示すことが知られている予め規定された組み合わせとを比較することができる。例えば、予め規定されたユーザキューのさまざまな組み合わせは、ユーザによる他のユーザと通信する要望を示すことができる。上述したさまざまな例は、他の人を見ることと彼らに話し掛けること、他の人に話し掛けることと他の人に向けたジェスチャまたは他の人が見るのをユーザが望む何かを使用すること、他の人を見ることとジェスチャを使用すること、イベントまたは物体を見ることと他の人にその観察について話すこと等のような、ユーザによる他の人と通信する要望を典型的に示すユーザキューの組み合わせの例を含んでいる。
【００４３】
［００４７］
５０６において、アクセス端末２００は、予め規定されたユーザキューの組み合わせの出現の決定に応答して、他のユーザに関係付けられているアクセス端末とのワイヤレス通信リンクに影響を及ぼすことができる。例えば、ユーザキュー動作２２４を実行する処理回路２０２（例えば、ユーザキュー回路／モジュール２１０）は、検出したユーザキューに応答して、ワイヤレス通信インターフェース２０６を介して、他のユーザに関係付けられているアクセス端末とのワイヤレス通信リンクに影響を及ぼすことができる。
【００４４】
［００４８］
ワイヤレス通信リンクは、さまざまな方法のうちの何らかの方法で影響を及ぼされるかもしれない。例えば、特定のユーザキューに応答して、他のユーザに関係付けられているアクセス端末とのワイヤレス通信リンクが確立される。別の例では、アクセス端末２００は、特定のユーザキューに応答して、他のユーザに関係付けられているアクセス端末との既存のワイヤレス通信リンクを用いて、（例えば、ワイヤレス通信インターフェース２０６を介して、）他のユーザに１つ以上の送信を送る。いくつかのインスタンスにおいて、このことは、ユーザキューから取得される情報を送信することを含んでいる。さらに別の例では、特定のユーザキューに応答して、他のユーザに関係付けられているアクセス端末とのワイヤレス通信リンクが終了される。
【００４５】
［００４９］
上記で説明した態様、構成、および実施形態は、特定の詳細および特性とともに説明したが、図１、２、３、４、および／または５中に図示したコンポーネント、ステップ、特徴、および／または機能のうちの１つ以上は、並べ替えてもよく、ならびに／あるいは、単一のコンポーネント、ステップ、特徴、もしくは機能に組み合わせても、または、いくつかのコンポーネント、ステップ、もしくは機能で具現化してもよい。本開示から逸脱することなく、追加のエレメント、コンポーネント、ステップ、および／または機能をまた追加しても、利用しなくてもよい。図１、２、および／または３中に図示した装置、デバイス、および／またはコンポーネントは、図４および／または５中に記述した方法、特徴、パラメータ、および／またはステップのうちの１つ以上を実行または用いるように構成されているかもしれない。ここで記述した新規のアルゴリズムはまた、ソフトウェア中で効率的に実現してもよく、および／またはハードウェア中に組み込んでもよい。
【００４６】
［００５０］
ある実施形態および図面に関連して本開示の特徴を説明してきたが、本開示のすべての実施形態が、ここで説明した有利な特徴のうちの１つ以上を含むことができる。すなわち、ある有利な特徴を有しているとして１つ以上の実施形態を説明してきたが、このような特徴のうちの１つ以上をまた、ここで説明したさまざまな実施形態のうちの任意のものにしたがって使用してもよい。類似する方法で、デバイス、システム、または方法の実施形態として例示的な実施形態をここで説明してきたが、このような例示的な実施形態を、さまざまなデバイス、システム、および方法において実現することができることを理解すべきである。
【００４７】
［００５１］
また、フローチャート、フローダイヤグラム、構造ダイヤグラム、またはブロックダイヤグラムとして描かれているプロセスとして、少なくともいくつかのインプリメンテーションを記述してきたことに留意されたい。フローチャートは、シーケンシャルなプロセスとして動作を記述しているかもしれないが、動作のうちの多くは、パラレルにまたは同時に実行することができる。さらに、動作の順序は並べ替えてもよい。プロセスは、その動作が完了されたときに終了される。プロセスは、方法、機能、手順、サブルーチン、サブプログラム等に対応する。プロセスが機能に対応するときは、その終了は、機能を呼出機能またはメイン機能に戻すことに対応する。ここで記述したさまざまな方法は、プロセッサ読取可能記憶媒体中に記憶することができ１つ以上のプロセッサ、機械、および／またはデバイスによって実行できるプログラミング（例えば、命令および／またはデータ）によって、部分的にまたは完全に実現してもよい。
【００４８】
［００５２］
ここで開示した実施形態に関連して記述したさまざまな例示的な論理ブロック、モジュール、回路、およびアルゴリズムステップは、ハードウェア、ソフトウェア、ファームウェア、ミドルウェア、マイクロコード、または、これらを任意に組み合わせたものとして実現してもよいことを、当業者はさらに認識しただろう。この互換性を明確に図示するために、さまざまな例示的なコンポーネント、ブロック、モジュール、回路、およびステップを、一般的にそれらの機能性に関して上記で記述してきた。このような機能性がハードウェアとして実現されるかソフトウェアとして実現されるかは、特定のアプリケーションとシステム全体に課された設計の制約とに依存する。
【００４９】
［００５３］
ここで記述した例に関係付けられており、付随する図面中で示したさまざまな特徴は、本開示の範囲から逸脱することなく、異なる例およびインプリメンテーションにおいて実現することができる。したがって、ある特定の構築および構成を記述し、付随する図面中で示してきたが、このような実施形態は実例に過ぎず、開示の範囲を制限するものではない。記述した実施形態に対する他のさまざまな追加および変更、ならびに、記述した実施形態からの他のさまざまな削除が、当業者に明白となるだろうからである。したがって、開示の範囲は、以下に続く特許請求の範囲の文言および法的均等物によってのみ決定される。
【図１】
2017511636.tif 000003
【図２】
2017511636.tif 000004
【図３】
2017511636.tif 000005
【図４】
2017511636.tif 000006
【図５】
2017511636.tif 000007
【手続補正書】
【提出日】平成28年9月13日(2016.9.13)
【手続補正１】
【補正対象書類名】特許請求の範囲
【補正対象項目名】全文
【補正方法】変更
【補正の内容】
【特許請求の範囲】
【請求項１】
アクセス端末において、
ワイヤレス通信インターフェースと、
複数のセンサと、
前記通信インターフェースと前記複数のセンサとに結合されている処理回路とを具備し、
前記処理回路は、
前記複数のセンサを介してユーザキューを検出し、
実質的に同一の時間に検出した少なくとも２つのユーザキューの組み合わせが、他のユーザと通信する要望を示すことを決定し、
前記少なくとも２つのユーザキューに応答して、前記ワイヤレス通信インターフェースを介して、前記他のユーザに関係付けられているアクセス端末とのワイヤレス通信リンクに影響を及ぼすように適合されており、
前記少なくとも２つのユーザキューは、視線、オーディオキュー、またはジェスチャ、のうちの少なくとも２つに対応するアクセス端末。
【請求項２】
前記処理回路が、前記検出したユーザキューに応答して、前記他のユーザとの前記ワイヤレス通信リンクに影響を及ぼすように適合されていることは、
前記処理回路が、前記他のユーザに関係付けられているアクセス端末とのワイヤレス通信リンクを確立するように適合されていることを含む請求項１記載のアクセス端末。
【請求項３】
前記処理回路が、前記検出したユーザキューに応答して、前記他のユーザとの前記ワイヤレス通信リンクに影響を及ぼすように適合されていることは、
前記処理回路が、ワイヤレス通信リンクを通して、前記他のユーザに関係付けられているアクセス端末に対して、１つ以上の送信を送るように適合されていることを含む請求項１記載のアクセス端末。
【請求項４】
前記処理回路が、ワイヤレス通信リンクを通して、前記他のユーザに関係付けられているアクセス端末に対して、１つ以上の送信を送るように適合されていることは、
前記処理回路が、前記他のユーザに関係付けられているアクセス端末に対して、前記ユーザキューから取得される情報を送信するように適合されていることを含む請求項３記載のアクセス端末。
【請求項５】
前記処理回路が、前記検出したユーザキューに応答して、前記他のユーザとの前記ワイヤレス通信リンクに影響を及ぼすように適合されていることは、
前記処理回路が、前記他のユーザに関係付けられているアクセス端末とのワイヤレス通信リンクを終了するように適合されていることを含む請求項１記載のアクセス端末。
【請求項６】
前記複数のセンサは、マイクロフォンと視線追跡器とジェスチャ検出器とを含むセンサのグループから選択される２つ以上のセンサを含む請求項１記載のアクセス端末。
【請求項７】
前記複数のセンサは、位置検出器と動き検出器と生体センサとを含むセンサのグループから選択される少なくとも１つのセンサをさらに含む請求項６記載のアクセス端末。
【請求項８】
前記処理回路は、地理的位置と動きと生体測定キューとのうちの少なくとも１つに対応するユーザキューを検出するようにさらに適合されている請求項１記載のアクセス端末。
【請求項９】
前記少なくとも２つのユーザキューは、前記アクセス端末のユーザが前記他のユーザに向けてジェスチャを行っていることを示すジェスチャユーザキューを含む請求項１記載のアクセス端末。
【請求項１０】
第１のユーザと第２のユーザとの間のワイヤレス通信の方法において、
少なくとも２つの１次センサ入力デバイスからのユーザキューを含む複数のユーザキューを取得することと、
前記取得した複数のユーザキューの中から、実質的に同一の時間に取得した少なくとも２つのユーザキューの予め規定された組み合わせの出現を決定することと、
前記少なくとも２つのユーザキューの予め規定された組み合わせの出現の前記決定に応答して、他のユーザに関係付けられているアクセス端末とのワイヤレス通信リンクに影響を及ぼすこととを含み、
前記少なくとも２つのユーザキューは、視線、オーディオキュー、またはジェスチャ、のうちの少なくとも２つに対応する方法。
【請求項１１】
前記他のユーザに関係付けられているアクセス端末とのワイヤレス通信リンクに影響を及ぼすことは、
前記他のユーザに関係付けられているアクセス端末とのワイヤレス通信リンクを確立することと、
ワイヤレス通信リンクを通して、前記他のユーザに関係付けられているアクセス端末に対して送信を送ることと、
前記他のユーザに関係付けられているアクセス端末とのワイヤレス通信リンクを終了することとのうちの少なくとも１つを含む請求項１０記載の方法。
【請求項１２】
前記ワイヤレス通信リンクを通して、前記他のユーザに関係付けられているアクセス端末に対して送信を送ることは、
前記他のユーザに関係付けられているアクセス端末に対して、前記取得したユーザキューに関係付けられている情報を送信することを含む請求項１１記載の方法。
【請求項１３】
前記少なくとも２つの１次センサ入力デバイスからのユーザキューを含む複数のユーザキューを取得することは、
視線追跡器とマイクロフォンとジェスチャ検出器とを含む１次センサ入力デバイスのグループから選択される少なくとも２つの１次センサ入力デバイスから、ユーザキューを取得することを含む請求項１０記載の方法。
【請求項１４】
前記複数のユーザキューを取得することは、
少なくとも１つの２次センサ入力デバイスからユーザキューを取得することをさらに含む請求項１０記載の方法。
【請求項１５】
前記少なくとも１つの２次センサ入力デバイスからユーザキューを取得することは、
位置検出デバイスと動き検出デバイスと生体センサデバイスとを含む２次センサ入力デバイスのグループから選択される少なくとも１つの２次センサ入力デバイスから、ユーザキューを取得することを含む請求項１４記載の方法。
【請求項１６】
アクセス端末において、
少なくとも２つの１次センサ入力デバイスからのユーザキューを含む、複数のユーザキューを検出する手段と、
実質的に同一の時間に検出した少なくとも２つのユーザキューの組み合わせが、他のユーザと通信する要望を示すことを決定する手段と、
前記少なくとも２つのユーザキューに応答して、前記他のユーザに関係付けられているアクセス端末とのワイヤレス通信リンクに影響を及ぼす手段とを具備し、
前記少なくとも２つのユーザキューは、視線、オーディオキュー、またはジェスチャ、のうちの少なくとも２つに対応するアクセス端末。
【請求項１７】
前記他のユーザに関係付けられているアクセス端末とのワイヤレス通信リンクに影響を及ぼす手段は、
前記他のユーザに関係付けられているアクセス端末とのワイヤレス通信リンクを確立する手段と、
ワイヤレス通信リンクを通して、前記他のユーザに関係付けられているアクセス端末に対して送信を送る手段と、
前記他のユーザに関係付けられているアクセス端末とのワイヤレス通信リンクを終了する手段とのうちの少なくとも１つを備える請求項１６記載のアクセス端末。
【請求項１８】
前記ワイヤレス通信リンクを通して、前記他のユーザに関係付けられているアクセス端末に対して送信を送る手段は、
前記他のユーザに関係付けられているアクセス端末に対して、前記検出したユーザキューに関係付けられている情報を送信する手段を含む請求項１７記載のアクセス端末。
【請求項１９】
少なくとも１つの２次センサ入力デバイスから、少なくとも１つのユーザキューを検出する手段をさらに具備する請求項１６記載のアクセス端末。
【請求項２０】
前記少なくとも１つの２次センサ入力デバイスから、少なくとも１つのユーザキューを検出する手段は、
位置検出デバイスと動き検出デバイスと生体センサデバイスとを含む２次センサ入力デバイスのグループから選択される少なくとも１つの２次センサ入力デバイスから、ユーザキューを検出する手段を備える請求項１９記載のアクセス端末。
【請求項２１】
プロセッサ読取可能記憶媒体において、
処理回路に、
複数のユーザキューを取得させ、
前記取得させた複数のユーザキューの中から、実質的に同一の時間に取得させた少なくとも２つのユーザキューの予め規定された組み合わせの出現を決定させ、
前記少なくとも２つのユーザキューの予め規定された組み合わせの出現の前記決定に応答して、他のユーザのアクセス端末とのワイヤレス通信リンクに影響を及ぼさせるためのプログラミングを含み、
前記複数のユーザキューは、少なくとも２つの１次センサ入力デバイスからのユーザキューを含み、
前記少なくとも２つのユーザキューは、視線、オーディオキュー、またはジェスチャ、のうちの少なくとも２つに対応するプロセッサ読取可能記憶媒体。
【請求項２２】
前記処理回路に、他のユーザに関係付けられているアクセス端末とのワイヤレス通信リンクに影響を及ぼさせるためのプログラミングは、
処理回路に、前記他のユーザに関係付けられているアクセス端末とのワイヤレス通信リンクを確立させるためのプログラミングを含む請求項２１記載のプロセッサ読取可能記憶媒体。
【請求項２３】
前記処理回路に、他のユーザに関係付けられているアクセス端末とのワイヤレス通信リンクに影響を及ぼさせるためのプログラミングは、
処理回路に、ワイヤレス通信リンクを通して、前記他のユーザに関係付けられているアクセス端末に対して送信を送らせるためのプログラミングを含む請求項２１記載のプロセッサ読取可能記憶媒体。
【請求項２４】
前記処理回路に、ワイヤレス通信リンクを通して、前記他のユーザに関係付けられているアクセス端末に対して送信を送らせるためのプログラミングは、
処理回路に、前記他のユーザに関係付けられているアクセス端末に対して、前記取得させたユーザキューに関係付けられている情報を送信させるためのプログラミングを含む請求項２３記載のプロセッサ読取可能記憶媒体。
【請求項２５】
前記処理回路に、他のユーザに関係付けられているアクセス端末とのワイヤレス通信リンクに影響を及ぼさせるためのプログラミングは、
処理回路に、前記他のユーザに関係付けられているアクセス端末とのワイヤレス通信リンクを終了させるためのプログラミングを含む請求項２１記載のプロセッサ読取可能記憶媒体。
【請求項２６】
前記処理回路に、複数のユーザキューを取得させるためのプログラミングは、
処理回路に、少なくとも１つの２次センサ入力デバイスからユーザキューを取得させるためのプログラミングを含む請求項２１記載のプロセッサ読取可能記憶媒体。
【請求項２７】
前記処理回路に、少なくとも１つの２次センサ入力デバイスからユーザキューを取得させるためのプログラミングは、
処理回路に、位置検出デバイスと動き検出デバイスと生体センサデバイスとを含む２次センサ入力デバイスのグループから選択される少なくとも１つの２次センサ入力デバイスから、ユーザキューを取得させるためのプログラミングを含む請求項２６記載のプロセッサ読取可能記憶媒体。
【手続補正２】
【補正対象書類名】明細書
【補正対象項目名】００４９
【補正方法】変更
【補正の内容】
【００４９】
［００５３］
ここで記述した例に関係付けられており、付随する図面中で示したさまざまな特徴は、本開示の範囲から逸脱することなく、異なる例およびインプリメンテーションにおいて実現することができる。したがって、ある特定の構築および構成を記述し、付随する図面中で示してきたが、このような実施形態は実例に過ぎず、開示の範囲を制限するものではない。記述した実施形態に対する他のさまざまな追加および変更、ならびに、記述した実施形態からの他のさまざまな削除が、当業者に明白となるだろうからである。したがって、開示の範囲は、以下に続く特許請求の範囲の文言および法的均等物によってのみ決定される。
以下に、本願出願の当初の特許請求の範囲に記載された発明を付記する。
［１］アクセス端末において、
ワイヤレス通信インターフェースと、
複数のセンサと、
前記通信インターフェースと前記複数のセンサとに結合されている処理回路とを具備し、
前記処理回路は、
前記複数のセンサを介してユーザキューを検出し、
他のユーザと通信する要望を前記ユーザキューが示すことを決定し、
前記検出したユーザキューに応答して、前記ワイヤレス通信インターフェースを介して、前記他のユーザに関係付けられているアクセス端末とのワイヤレス通信リンクに影響を及ぼすように適合されており、
前記ユーザキューは、視線とオーディオキューとジェスチャとのうちの少なくとも２つに対応するアクセス端末。
［２］前記処理回路が、前記検出したユーザキューに応答して、前記他のユーザとの前記ワイヤレス通信リンクに影響を及ぼすように適合されていることは、
前記処理回路が、前記他のユーザに関係付けられているアクセス端末とのワイヤレス通信リンクを確立するように適合されていることを含む［１］記載のアクセス端末。
［３］前記処理回路が、前記検出したユーザキューに応答して、前記他のユーザとの前記ワイヤレス通信リンクに影響を及ぼすように適合されていることは、
前記処理回路が、ワイヤレス通信リンクを通して、前記他のユーザに関係付けられているアクセス端末に対して、１つ以上の送信を送るように適合されていることを含む［１］記載のアクセス端末。
［４］前記処理回路が、ワイヤレス通信リンクを通して、前記他のユーザに関係付けられているアクセス端末に対して、１つ以上の送信を送るように適合されていることは、
前記処理回路が、前記他のユーザに関係付けられているアクセス端末に対して、前記ユーザキューから取得される情報を送信するように適合されていることを含む［３］記載のアクセス端末。
［５］前記処理回路が、前記検出したユーザキューに応答して、前記他のユーザとの前記ワイヤレス通信リンクに影響を及ぼすように適合されていることは、
前記処理回路が、前記他のユーザに関係付けられているアクセス端末とのワイヤレス通信リンクを終了するように適合されていることを含む［１］記載のアクセス端末。
［６］前記複数のセンサは、マイクロフォンと視線追跡器とジェスチャ検出器とを含むセンサのグループから選択される２つ以上のセンサを含む［１］記載のアクセス端末。
［７］前記複数のセンサは、位置検出器と動き検出器と生体センサとを含むセンサのグループから選択される少なくとも１つのセンサをさらに含む［６］記載のアクセス端末。
［８］前記処理回路は、地理的位置と動きと生体測定キューとのうちの少なくとも１つに対応するユーザキューを検出するようにさらに適合されている［１］記載のアクセス端末。
［９］第１のユーザと第２のユーザとの間のワイヤレス通信の方法において、
少なくとも２つの１次センサ入力からのユーザキューを含む複数のユーザキューを取得することと、
前記取得した複数のユーザキューの中から、予め規定されたユーザキューの組み合わせの出現を決定することと、
前記予め規定されたユーザキューの組み合わせの出現の前記決定に応答して、他のユーザに関係付けられているアクセス端末とのワイヤレス通信リンクに影響を及ぼすこととを含む方法。
［１０］前記他のユーザに関係付けられているアクセス端末とのワイヤレス通信リンクに影響を及ぼすことは、
前記他のユーザに関係付けられているアクセス端末とのワイヤレス通信リンクを確立することと、
ワイヤレス通信リンクを通して、前記他のユーザに関係付けられているアクセス端末に対して送信を送ることと、
前記他のユーザに関係付けられているアクセス端末とのワイヤレス通信リンクを終了することとのうちの少なくとも１つを含む［９］記載の方法。
［１１］前記ワイヤレス通信リンクを通して、前記他のユーザに関係付けられているアクセス端末に対して送信を送ることは、
前記他のユーザに関係付けられているアクセス端末に対して、前記取得したユーザキューに関係付けられている情報を送信することを含む［１０］記載の方法。
［１２］前記少なくとも２つの１次センサ入力からのユーザキューを含む複数のユーザキューを取得することは、
視線とオーディオキューとジェスチャとを含む１次センサ入力のグループから選択される少なくとも２つの１次センサ入力から、ユーザキューを取得することを含む［９］記載の方法。
［１３］前記複数のユーザキューを取得することは、
少なくとも１つの２次センサ入力からユーザキューを取得することをさらに含む［９］記載の方法。
［１４］前記少なくとも１つの２次センサ入力からユーザキューを取得することは、
位置と動きと生体測定キューとを含む２次センサ入力のグループから選択される２次センサ入力のうちの少なくとも１つから、ユーザキューを取得することを含む［１３］記載の方法。
［１５］アクセス端末において、
視線とオーディオキューとジェスチャとを含む１次センサ入力のグループから選択される少なくとも２つの１次センサ入力からのユーザキューを含む、複数のユーザキューを検出する手段と、
他のユーザと通信する要望を前記ユーザキューが示すことを決定する手段と、
前記検出したユーザキューに応答して、前記他のユーザに関係付けられているアクセス端末とのワイヤレス通信リンクに影響を及ぼす手段とを具備するアクセス端末。
［１６］前記他のユーザに関係付けられているアクセス端末とのワイヤレス通信リンクに影響を及ぼす手段は、
前記他のユーザに関係付けられているアクセス端末とのワイヤレス通信リンクを確立する手段と、
ワイヤレス通信リンクを通して、前記他のユーザに関係付けられているアクセス端末に対して送信を送る手段と、
前記他のユーザに関係付けられているアクセス端末とのワイヤレス通信リンクを終了する手段とのうちの少なくとも１つを備える［１５］記載のアクセス端末。
［１７］前記ワイヤレス通信リンクを通して、前記他のユーザに関係付けられているアクセス端末に対して送信を送る手段は、
前記他のユーザに関係付けられているアクセス端末に対して、前記検出したユーザキューに関係付けられている情報を送信する手段を含む［１６］記載のアクセス端末。
［１８］少なくとも１つの２次センサ入力から、少なくとも１つのユーザキューを検出する手段をさらに具備する［１５］記載のアクセス端末。
［１９］前記少なくとも１つの２次センサ入力から、少なくとも１つのユーザキューを検出する手段は、
位置と動きと生体測定キューとを含む２次センサ入力のグループから選択される２次センサ入力のうちの少なくとも１つから、ユーザキューを検出する手段を備える［１８］記載のアクセス端末。
［２０］プロセッサ読取可能記憶媒体において、
処理回路に、
複数のユーザキューを取得させ、
前記取得させた複数のユーザキューの中から、予め規定されたユーザキューの組み合わせの出現を決定させ、
前記予め規定されたユーザキューの組み合わせの出現の前記決定に応答して、他のユーザのアクセス端末とのワイヤレス通信リンクに影響を及ぼさせるためのプログラミングを含み、
前記複数のユーザキューは、視線とオーディオキューとジェスチャとを含む１次センサ入力のグループから選択される少なくとも２つの１次センサ入力からのユーザキューを含むプロセッサ読取可能記憶媒体。
［２１］前記処理回路に、他のユーザに関係付けられているアクセス端末とのワイヤレス通信リンクに影響を及ぼさせるためのプログラミングは、
処理回路に、前記他のユーザに関係付けられているアクセス端末とのワイヤレス通信リンクを確立させるためのプログラミングを含む［２０］記載のプロセッサ読取可能記憶媒体。
［２２］前記処理回路に、他のユーザに関係付けられているアクセス端末とのワイヤレス通信リンクに影響を及ぼさせるためのプログラミングは、
処理回路に、ワイヤレス通信リンクを通して、前記他のユーザに関係付けられているアクセス端末に対して送信を送らせるためのプログラミングを含む［２０］記載のプロセッサ読取可能記憶媒体。
［２３］前記処理回路に、ワイヤレス通信リンクを通して、前記他のユーザに関係付けられているアクセス端末に対して送信を送らせるためのプログラミングは、
処理回路に、前記他のユーザに関係付けられているアクセス端末に対して、前記取得させたユーザキューに関係付けられている情報を送信させるためのプログラミングを含む［２２］記載のプロセッサ読取可能記憶媒体。
［２４］前記処理回路に、他のユーザに関係付けられているアクセス端末とのワイヤレス通信リンクに影響を及ぼさせるためのプログラミングは、
処理回路に、前記他のユーザに関係付けられているアクセス端末とのワイヤレス通信リンクを終了させるためのプログラミングを含む［２０］記載のプロセッサ読取可能記憶媒体。
［２５］前記処理回路に、複数のユーザキューを取得させるためのプログラミングは、
処理回路に、少なくとも１つの２次センサ入力からユーザキューを取得させるためのプログラミングを含む［２０］記載のプロセッサ読取可能記憶媒体。
［２６］前記処理回路に、少なくとも１つの２次センサ入力からユーザキューを取得させるためのプログラミングは、
処理回路に、位置と動きと生体測定キューとを含む２次センサ入力のグループから選択される２次センサ入力のうちの少なくとも１つから、ユーザキューを取得させるためのプログラミングを含む［２５］記載のプロセッサ読取可能記憶媒体。
【手続補正書】
【提出日】平成28年9月14日(2016.9.14)
【手続補正１】
【補正対象書類名】特許請求の範囲
【補正対象項目名】全文
【補正方法】変更
【補正の内容】
【特許請求の範囲】
【請求項１】
アクセス端末において、
ワイヤレス通信インターフェースと、
複数のセンサと、
前記通信インターフェースと前記複数のセンサとに結合されている処理回路とを具備し、
前記処理回路は、
前記複数のセンサを介してユーザキューを検出し、
前記複数のセンサを介して検出した少なくとも２つのユーザキューの予め規定された組み合わせが出現したことを決定し、前記少なくとも２つのユーザキューの予め規定された組み合わせは、他のユーザの方に向けられており、前記アクセス端末のユーザによる、前記他のユーザと通信する要望を示し、
前記少なくとも２つのユーザキューに応答して、前記ワイヤレス通信インターフェースを介して、前記他のユーザに関係付けられているアクセス端末とのワイヤレス通信リンクに影響を及ぼすように適合されており、
前記少なくとも２つのユーザキューは、視線、オーディオキュー、またはジェスチャ、のうちの少なくとも２つに対応するアクセス端末。
【請求項２】
前記処理回路が、前記検出したユーザキューに応答して、前記他のユーザとの前記ワイヤレス通信リンクに影響を及ぼすように適合されていることは、
前記処理回路が、前記他のユーザに関係付けられているアクセス端末とのワイヤレス通信リンクを確立するように適合されていることを含む請求項１記載のアクセス端末。
【請求項３】
前記処理回路が、前記検出したユーザキューに応答して、前記他のユーザとの前記ワイヤレス通信リンクに影響を及ぼすように適合されていることは、
前記処理回路が、ワイヤレス通信リンクを通して、前記他のユーザに関係付けられているアクセス端末に対して、１つ以上の送信を送るように適合されていることを含む請求項１記載のアクセス端末。
【請求項４】
前記処理回路が、ワイヤレス通信リンクを通して、前記他のユーザに関係付けられているアクセス端末に対して、１つ以上の送信を送るように適合されていることは、
前記処理回路が、前記他のユーザに関係付けられているアクセス端末に対して、前記ユーザキューから取得される情報を送信するように適合されていることを含む請求項３記載のアクセス端末。
【請求項５】
前記処理回路が、前記検出したユーザキューに応答して、前記他のユーザとの前記ワイヤレス通信リンクに影響を及ぼすように適合されていることは、
前記処理回路が、前記他のユーザに関係付けられているアクセス端末とのワイヤレス通信リンクを終了するように適合されていることを含む請求項１記載のアクセス端末。
【請求項６】
前記複数のセンサは、マイクロフォンと視線追跡器とジェスチャ検出器とを含むセンサのグループから選択される２つ以上のセンサを含む請求項１記載のアクセス端末。
【請求項７】
前記複数のセンサは、位置検出器と動き検出器と生体センサとを含むセンサのグループから選択される少なくとも１つのセンサをさらに含む請求項６記載のアクセス端末。
【請求項８】
前記処理回路は、地理的位置と動きと生体測定キューとのうちの少なくとも１つに対応するユーザキューを検出するようにさらに適合されている請求項１記載のアクセス端末。
【請求項９】
前記少なくとも２つのユーザキューは、前記ジェスチャに対応するジェスチャユーザキューと、前記視線または前記オーディオキューに対応する少なくとも１つの追加のユーザキューとを含み、
前記ジェスチャユーザキューは、前記アクセス端末のユーザが前記他のユーザに向けてジェスチャを行っていることを示す請求項１記載のアクセス端末。
【請求項１０】
第１のユーザと第２のユーザとの間のワイヤレス通信の方法において、
少なくとも２つの１次センサ入力デバイスからのユーザキューを含む複数のユーザキューを取得することと、
前記取得した複数のユーザキューの中から、少なくとも２つのユーザキューの予め規定された組み合わせの出現を決定し、前記少なくとも２つのユーザキューの予め規定された組み合わせは、前記第２のユーザの方に向けられており、前記少なくとも２つのユーザキューの予め規定された組み合わせの出現は、前記第１のユーザによる前記第２のユーザと通信する要望を示すことと、
前記少なくとも２つのユーザキューの予め規定された組み合わせの出現の前記決定に応答して、前記第２のユーザに関係付けられているアクセス端末とのワイヤレス通信リンクに影響を及ぼすこととを含み、
前記少なくとも２つのユーザキューは、視線、オーディオキュー、またはジェスチャ、のうちの少なくとも２つに対応する方法。
【請求項１１】
前記他のユーザに関係付けられているアクセス端末とのワイヤレス通信リンクに影響を及ぼすことは、
前記他のユーザに関係付けられているアクセス端末とのワイヤレス通信リンクを確立することと、
ワイヤレス通信リンクを通して、前記他のユーザに関係付けられているアクセス端末に対して送信を送ることと、
前記他のユーザに関係付けられているアクセス端末とのワイヤレス通信リンクを終了することとのうちの少なくとも１つを含む請求項１０記載の方法。
【請求項１２】
前記ワイヤレス通信リンクを通して、前記他のユーザに関係付けられているアクセス端末に対して送信を送ることは、
前記他のユーザに関係付けられているアクセス端末に対して、前記取得したユーザキューに関係付けられている情報を送信することを含む請求項１１記載の方法。
【請求項１３】
前記少なくとも２つの１次センサ入力デバイスからのユーザキューを含む複数のユーザキューを取得することは、
視線追跡器とマイクロフォンとジェスチャ検出器とを含む１次センサ入力デバイスのグループから選択される少なくとも２つの１次センサ入力デバイスから、ユーザキューを取得することを含む請求項１０記載の方法。
【請求項１４】
前記複数のユーザキューを取得することは、
少なくとも１つの２次センサ入力デバイスからユーザキューを取得することをさらに含む請求項１０記載の方法。
【請求項１５】
前記少なくとも１つの２次センサ入力デバイスからユーザキューを取得することは、
位置検出デバイスと動き検出デバイスと生体センサデバイスとを含む２次センサ入力デバイスのグループから選択される少なくとも１つの２次センサ入力デバイスから、ユーザキューを取得することを含む請求項１４記載の方法。
【請求項１６】
アクセス端末において、
少なくとも２つの１次センサ入力デバイスからのユーザキューを含む、複数のユーザキューを検出する手段と、
前記少なくとも２つの１次センサ入力デバイスを介して検出した少なくとも２つのユーザキューの予め規定された組み合わせが出現したことを決定し、前記少なくとも２つのユーザキューの予め規定された組み合わせは、他のユーザの方に向けられており、前記アクセス端末のユーザによる、前記他のユーザと通信する要望を示す手段と、
前記少なくとも２つのユーザキューに応答して、前記他のユーザに関係付けられているアクセス端末とのワイヤレス通信リンクに影響を及ぼす手段とを具備し、
前記少なくとも２つのユーザキューは、視線、オーディオキュー、またはジェスチャ、のうちの少なくとも２つに対応するアクセス端末。
【請求項１７】
前記他のユーザに関係付けられているアクセス端末とのワイヤレス通信リンクに影響を及ぼす手段は、
前記他のユーザに関係付けられているアクセス端末とのワイヤレス通信リンクを確立する手段と、
ワイヤレス通信リンクを通して、前記他のユーザに関係付けられているアクセス端末に対して送信を送る手段と、
前記他のユーザに関係付けられているアクセス端末とのワイヤレス通信リンクを終了する手段とのうちの少なくとも１つを備える請求項１６記載のアクセス端末。
【請求項１８】
前記ワイヤレス通信リンクを通して、前記他のユーザに関係付けられているアクセス端末に対して送信を送る手段は、
前記他のユーザに関係付けられているアクセス端末に対して、前記検出したユーザキューに関係付けられている情報を送信する手段を含む請求項１７記載のアクセス端末。
【請求項１９】
少なくとも１つの２次センサ入力デバイスから、少なくとも１つのユーザキューを検出する手段をさらに具備する請求項１６記載のアクセス端末。
【請求項２０】
前記少なくとも１つの２次センサ入力デバイスから、少なくとも１つのユーザキューを検出する手段は、
位置検出デバイスと動き検出デバイスと生体センサデバイスとを含む２次センサ入力デバイスのグループから選択される少なくとも１つの２次センサ入力デバイスから、ユーザキューを検出する手段を備える請求項１９記載のアクセス端末。
【請求項２１】
プロセッサ読取可能記憶媒体において、
処理回路に、
複数のユーザキューを取得させ、
少なくとも２つのユーザキューの予め規定された組み合わせが、他のユーザの方に向けられており、前記少なくとも２つのユーザキューの予め規定された組み合わせの出現が、ユーザによる前記他のユーザと通信する要望を示し、前記取得させた複数のユーザキューの中から、前記少なくとも２つのユーザキューの予め規定された組み合わせの出現を決定させ、
前記少なくとも２つのユーザキューの予め規定された組み合わせの出現の前記決定に応答して、前記他のユーザのアクセス端末とのワイヤレス通信リンクに影響を及ぼさせるためのプログラミングを含み、
前記複数のユーザキューは、少なくとも２つの１次センサ入力デバイスからのユーザキューを含み、
前記少なくとも２つのユーザキューは、視線、オーディオキュー、またはジェスチャ、のうちの少なくとも２つに対応するプロセッサ読取可能記憶媒体。
【請求項２２】
前記処理回路に、前記他のユーザに関係付けられているアクセス端末とのワイヤレス通信リンクに影響を及ぼさせるためのプログラミングは、
処理回路に、前記他のユーザに関係付けられているアクセス端末とのワイヤレス通信リンクを確立させるためのプログラミングを含む請求項２１記載のプロセッサ読取可能記憶媒体。
【請求項２３】
前記処理回路に、前記他のユーザに関係付けられているアクセス端末とのワイヤレス通信リンクに影響を及ぼさせるためのプログラミングは、
処理回路に、ワイヤレス通信リンクを通して、前記他のユーザに関係付けられているアクセス端末に対して送信を送らせるためのプログラミングを含む請求項２１記載のプロセッサ読取可能記憶媒体。
【請求項２４】
前記処理回路に、ワイヤレス通信リンクを通して、前記他のユーザに関係付けられているアクセス端末に対して送信を送らせるためのプログラミングは、
処理回路に、前記他のユーザに関係付けられているアクセス端末に対して、前記取得させたユーザキューに関係付けられている情報を送信させるためのプログラミングを含む請求項２３記載のプロセッサ読取可能記憶媒体。
【請求項２５】
前記処理回路に、前記他のユーザに関係付けられているアクセス端末とのワイヤレス通信リンクに影響を及ぼさせるためのプログラミングは、
処理回路に、前記他のユーザに関係付けられているアクセス端末とのワイヤレス通信リンクを終了させるためのプログラミングを含む請求項２１記載のプロセッサ読取可能記憶媒体。
【請求項２６】
前記処理回路に、複数のユーザキューを取得させるためのプログラミングは、
処理回路に、少なくとも１つの２次センサ入力デバイスからユーザキューを取得させるためのプログラミングを含む請求項２１記載のプロセッサ読取可能記憶媒体。
【請求項２７】
前記処理回路に、少なくとも１つの２次センサ入力デバイスからユーザキューを取得させるためのプログラミングは、
処理回路に、位置検出デバイスと動き検出デバイスと生体センサデバイスとを含む２次センサ入力デバイスのグループから選択される少なくとも１つの２次センサ入力デバイスから、ユーザキューを取得させるためのプログラミングを含む請求項２６記載のプロセッサ読取可能記憶媒体。
【国際調査報告】
2017511636.tif 000008
2017511636.tif 000009
2017511636.tif 000010